(57)【要約】【課題】  加工の手間が少ない燃料噴射弁を得る。【解決手段】  弁座が形成された弁座部材９と、弁座に離着座する弁体６と、弁体６を閉弁方向に付勢するコイルスプリング１２と、磁気吸引力を発生させて弁体６を離座させる電磁コイル１５と、を備えた燃料噴射弁１において、弁座部材９を樹脂材料で構成した。【選択図】      図１
2006312883.tif 000002
【特許請求の範囲】
【請求項１】
弁座が形成された弁座部材と、
前記弁座に離着座する弁体と、
前記弁体を閉弁方向に付勢する付勢手段と、
磁気吸引力を発生させて前記弁体を離座させる電磁コイルと、
を備えた燃料噴射弁において、
前記弁座部材を樹脂材料で構成したことを特徴とする燃料噴射弁。
【請求項２】
前記弁座部材に前記閉弁方向と略直交する底壁部を設け、着座状態で当該底壁部の底内面と前記弁体の底面とを面接触させるようにしたことを特徴とする請求項１に記載の燃料噴射弁。
【請求項３】
前記弁体を収容する筒体を備え、
前記筒体に前記弁座部材を樹脂成形して一体化させたことを特徴とする請求項１または２に記載の燃料噴射弁。
【発明の詳細な説明】
【技術分野】
【０００１】
本発明は、内燃機関用の燃料噴射弁に関する。
【背景技術】
【０００２】
従来より種々の燃料噴射弁が提案されている。特許文献１は、その一例としての燃料噴射弁を開示する。
【０００３】
特許文献１の燃料噴射弁は、弁座が形成された弁座部材と、弁座に離着座する弁体と、弁体を閉弁方向に付勢する付勢手段と、磁気吸引力を発生させて弁座を離座させる電磁コイルと、を備えており、電磁コイルを通電して弁体を弁座から離座させたときに燃料が噴射される一方、電磁コイルの通電を解除すると、付勢手段によって弁体が弁座に着座して、燃料噴射が停止するようになっている。通常、この種の燃料噴射弁では、弁座部材および弁体とも金属材料で構成されている。
【特許文献１】特開平１０−１２２０８５号公報
【発明の開示】
【発明が解決しようとする課題】
【０００４】
しかしながら、この種の燃料噴射弁では、着座状態（閉弁状態）におけるシール性を確保すべく、弁座部材または弁体の面精度を高くするために研磨処理を施したり、また、弁体の反復動作による弁座部材または弁体の部分摩耗を抑制するために硬化処理を施したりしており、加工の手間がかかるという課題があった。
【０００５】
本発明は、上記事情に鑑みてなされたものであり、その目的は、加工の手間が少ない燃料噴射弁を得ることにある。
【課題を解決するための手段】
【０００６】
上記目的を達成するために、請求項１の発明は、燃料噴射弁において、弁座部材を樹脂材料で構成したことを趣旨とする。
【０００７】
また、請求項２の発明は、上記請求項１の発明において、弁座部材に上記閉弁方向と略直交する底壁部を設け、着座状態で当該底壁部の底内面と上記弁体の底面とを面接触させるようにしたものである。
【０００８】
また、請求項３の発明は、上記請求項１または２の発明において、弁体を収容する筒体を備え、該筒体に弁座部材を樹脂成形して一体化させたものである。
【発明の効果】
【０００９】
請求項１の発明によれば、弁座部材を、金属材料に比べて成形性の高い樹脂材料で構成したため、弁座部材を金属材料で構成した場合に比べて、加工の手間を減らすことができる。
【００１０】
請求項２の発明によれば、弁体が弁座から離座した状態で、上面と底内面との間により確実に間隙を確保して噴射孔に向かう流れを比較的容易に形成することができる。
【００１１】
請求項３の発明によれば、弁体を収容する筒体を備え、筒体に弁座部材を樹脂成形して一体化させたため、弁座部材を設けた構造を、より容易に得ることができる。
【発明を実施するための最良の形態】
【００１２】
以下、本発明を具現化した実施形態について図面を参照して説明する。なお、以下では、内燃機関に用いられる燃料噴射弁について例示する。
【００１３】
（第１実施形態）図１は、本実施形態にかかる燃料噴射弁の断面図（軸方向に沿った断面の図）、図２は、燃料噴射弁の先端部を拡大した断面図であって、離座状態（開弁状態）を示す図、図３は、燃料噴射弁の先端部を拡大した断面図であって、着座状態（閉弁状態）を示す図である。
【００１４】
本実施形態にかかる燃料噴射弁１は、燃料配管に設けられたボス部（いずれも図示せず）に接続され、燃料配管内を流れる燃料を内燃機関内（吸気ポートやシリンダ内等）に噴射するものである。
【００１５】
燃料噴射弁１は、本体部として、ケーシング２や、筒体３、コア筒５、ヨーク１３、樹脂カバー１６等を含んでいる。
【００１６】
このうち、筒体３は、例えば、磁性を有するステンレス材料等の素材に深絞り加工等のプレス加工を施すことにより、段差を有する薄肉の金属管として形成される。本実施形態では、筒体３の軸方向の一端側には大径部３ａが、また他端側にはより小径の小径部３ｂが、それぞれ形成されており、大径部３ａの端部が燃料配管のボス部内に挿入された状態で、筒体３が燃料配管に接続されるようになっている。
【００１７】
この筒体３（大径部３ａ）の入口側の外周面には、筒体３と燃料配管のボス部との間の液密を確保するＯリング１８が外装される。
【００１８】
また、筒体３の入口側（上流側）の開口部には、フィルタ２１が装着される。フィルタ２１は、筒体３の大径部３ａ内に圧入される筒状の芯金２１ａと、筒体３よりも軟質な樹脂材料、例えばナイロン、フッ素樹脂等を用いて芯金２１ａと一体に形成（射出成形）されたフレーム２１ｂと、当該フレーム２１ｂに取付けられて燃料を透過させるメッシュ２１ｃとによって大略構成されている。
【００１９】
そして、筒体３の内側には、コア筒５が嵌挿される。コア筒５は、弁体６の外筒部８、ヨーク１３と共に電磁コイル１５による閉磁路を形成するとともに、弁体６の開弁位置を規定するものである。コア筒５は、例えば、筒体３の小径部３ｂ内に圧入して取付けられる。
【００２０】
また、筒体３の下流側端部には、筒状の弁座部材９が配設される。この弁座部材９は、略円筒状に形成される周壁部９ｂと、周壁部９ｂの下流側端部で軸方向（弁体６の開閉弁方向）と略直交する円板状の底壁部９ｄとを備える。これら周壁部９ｂと底壁部９ｄとで囲まれる凹部９ｃ内に、弁体６の弁部７が収容される。
【００２１】
底壁部９ｄには、その表裏（内外）を貫通する貫通孔として複数の噴射孔９ｆが形成される。この噴射孔９ｆの噴射方向は、軸方向に対して径方向外側に僅かに傾斜させている。また、底壁部９ｄの底内面９ｅは、軸方向と略直交する面として形成されるが、軸心側が僅かに突出するように傾斜する凸面状に形成される。なお、詳しくは後述するが、本実施形態では、この底内面９ｅの周縁部が弁座となる。
【００２２】
ここで、本実施形態では、弁座部材９を、耐薬品性および耐摩耗性が高いＰＩ（ポリイミド）や、ＰＥＥＫ（ポリエチルエーテルケトン）、ＰＯＭ（アセタール；ポリオキシメチレン）等の樹脂材料（所謂エンジニアリングプラスチック）で構成している。樹脂材料は成形性に優れるため、従来のように金属材料を用いた場合に比べて、面精度を確保しやすく、また、好適な燃料流れを生じさせる形状等をより容易に形成できるという利点がある。なお、本実施形態では、筒体３の先端部３ｃを内側に折り曲げ、弁座部材９の外周面に形成した環状凹部９ａに当該先端部３ｃを食い込ませて一体化させているが、かかる構成をインサート成形によって得ることができる。
【００２３】
コア筒５と弁座部材９との間には、筒体３の小径部３ｂ内で軸方向に変位可能な弁体６が収容される。本実施形態では、弁体６は、磁性金属材料によって形成され、軸方向に延びる筒状に形成された外筒部８と、樹脂材料によって形成され、外筒部８の内側に固着されて弁座部材９の底内面９ｅに離着座する球状の弁部７と、を備えたものとして構成される。なお、本実施形態では、外筒部８の内壁に形成した凹凸部８ａと、弁部７の上部の外壁に形成した凹凸部７ｄとを相互に食いこませて一体化させているが、かかる構成をインサート成形によって得ることができる。
【００２４】
弁部７は、上流側で径方向外側に膨出する上流側膨出部７ａと、下流側で径方向外側に膨出する下流側膨出部７ｃと、より細い径でそれら膨出部７ａ，７ｃの間をつなぐ中間部７ｂとを備える。この中間部７ｂの周囲は、燃料収容室１０となる。
【００２５】
上流側膨出部７ａは、端部側に開口する有底円筒状に形成され、その凹部６ａ内には、コイルスプリング１２が収容される。また、上流側膨出部７ａの底壁には、凹部６ａの内部と燃料収容室１０とを連通する貫通孔６ｂが形成される。さらに、この底壁の中央部には、中間部７ｂから下流側膨出部７ｃまで貫通する有底円孔７ｅが形成され、軽量化ならびに成形性の向上が図られている。
【００２６】
下流側膨出部７ｃの外周には、燃料収容室１０の燃料を噴射孔９ｆ側に供給するための溝状の燃料通路６ｃが所定のピッチで複数形成される。この燃料通路６ｃは、軸方向に沿って真っ直ぐ流下するように形成してもよいし、螺旋状に形成して旋回流が形成されるようにしてもよい。また、底面６ｄは、軸方向と略直交するが、軸心側が僅かに窪むように傾斜する凹面状に形成される。ただし、径方向外側から内側に向かう傾斜角を、この底面６ｄに対向する弁座部材９の底内面９ｅの傾斜角より大きくし、底面６ｄと底内面９ｅとの隙間が軸心側に向かうほど大きくなるようにしてある。なお、下流側膨出部７ｃにも適宜有底孔７ｆを形成し、軽量化ならびに成形性の向上を図るのが好適である。
【００２７】
また、弁部７も、弁座部材９と同様、耐薬品性および耐摩耗性が高いＰＩ（ポリイミド）や、ＰＥＥＫ（ポリエチルエーテルケトン）、ＰＯＭ（アセタール；ポリオキシメチレン）等の樹脂材料（所謂エンジニアリングプラスチック）で構成するのが好適である。
【００２８】
そして、この弁体６に閉弁方向の付勢力を与える付勢手段として、コイルスプリング１２が設けられる。このコイルスプリング１２の上端は、コア筒５内に嵌挿された筒状のアジャスタ１９の下端に当接する一方、コイルスプリング１２の下端部は、弁体６の凹部６ａ内に挿入されており、軸方向に伸びる方向に弾性力を発生させる。すなわち、このコイルスプリング１２は圧縮バネとして用いられ、弁体６に対し、コア筒５から離間する方向、すなわち閉弁方向に付勢力を作用させる。
【００２９】
筒体３の外周側には、段付筒状に形成されたヨーク１３が設けられている。本実施形態では、ヨーク１３を、筒体３の小径部３ｂの外周側に圧入して固着している。また、ヨーク１３と筒体３の小径部３ｂとの間は、連結コア１４が設けられている。本実施形態では、連結コア１４を、小径部３ｂの外周側を取囲む略Ｃ字状の磁性体として形成している。また、ヨーク１３の先端側には、Ｏリング２３の溝を形成する樹脂キャップ１１が取り付けられる。
【００３０】
筒体３とヨーク１３との間には、電磁コイル１５が設けられる。本実施形態では、電磁コイル１５を、樹脂材料により形成された筒状のコイルボビン１５ａと、該コイルボビン１５ａに巻装されたコイル１５ｂとを有するものとし、コイルボビン１５ａを筒体３の小径部３ｂに外装させている。なお、電磁コイル１５は、コネクタ１７のピン２０および樹脂カバー１６内に形成される導線２２を介して通電される。
【００３１】
樹脂カバー１６は、筒体３の外周側に設けられる。この樹脂カバー１６は、例えば、筒体３の外周側に、ヨーク１３や、連結コア１４、電磁コイル１５等を組付けた状態で射出成形することによって形成することができる。なお、樹脂カバー１６とコネクタ１７は一体成形されている。
【００３２】
以上の構成を備える燃料噴射弁１において、弁体６には付勢手段としてのコイルスプリング１２から閉弁方向の付勢力が作用しており、電磁コイル１５が通電されない状態では、弁体６が弁座部材９上に着座し、弁体６の底面６ｄと底内面９ｅとが当接する状態が維持される（閉弁状態；図３）。
【００３３】
このとき、上述したように、弁体６の底面６ｄを軸心側が僅かに窪むように傾斜する凹形状とする一方、弁座部材９の底内面９ｅを軸心側が僅かに突出するように傾斜する凸形状とし、さらに、底面６ｄと底内面９ｅとの隙間が軸心側に向かうほど大きくなるようにしてあるため、着座した状態では、底面６ｄと底内面９ｅの周縁部同士が面接触することになり、図３に示す環状の領域Ｓがシール領域となる。このとき、シール領域Ｓが、弁座部材９の底壁部９ｄに形成した噴射孔９ｆより径方向外側に形成されるようにしておく。
【００３４】
一方、電磁コイル１５が通電されると、コア筒５、外筒部８、およびヨーク１３等によって閉磁路が形成され、これにより、外筒部８にはコア筒５に近接する方向の磁力が作用する。ここで、この磁力（吸着力）は、コイルスプリング１２の付勢力より大きくなるように設定してあるため、電磁コイル１５が通電されると、弁体６がコア筒５に引き寄せられ、弁体６が弁座部材９から離座し、弁体６の底面６ｄと底内面９ｅとが離間する（開弁状態；図２）。
【００３５】
この開弁状態において、燃料は、筒体３およびコア筒５内の燃料通路４を流下した後、アジャスタ１９およびコア筒５の筒内、弁体６上部の凹部６ａ内、および貫通孔６ｂを経由して燃料収容室１０に流入する。さらに、燃料は、燃料収容室１０から、下流側膨出部７ｃの外周に形成された燃料通路６ｃ、および弁体６の底面６ｄと弁座部材９の底内面９ｅとの隙間を経由して、噴射孔９ｆから噴射される。
【００３６】
ここで、上記構成により、本実施形態では、燃料通路６ｃでの燃料の流れＦａと、底面６ｄと底内面９ｅとの隙間での燃料の流れＦｂとの間で、流れの方向が略直角あるいは鋭角的に大きく変化し、また、底面６ｄと底内面９ｅとの隙間での燃料の流れＦｂと、噴射孔９ｆ内での燃料の流れＦｃとの間でも、流れの方向が略直角あるいは鋭角的に大きく変化することになる。かかる流通方向の変化により、燃料の壁面からの剥離や乱流が生じ、この結果、噴射孔９ｆから噴出される燃料の流れにも乱れが生じて空気との攪拌が進み、燃料噴霧の微粒化が促進される。
【００３７】
以上の本実施形態によれば、弁座部材９を、金属材料に比べて成形性の高い樹脂材料で構成したため、弁座部材を金属材料で構成した場合に比べて、加工の手間を減らすことができる。また、燃料の流量や噴霧粒径等に応じて適宜に形状を調整して、より好適な燃料流れを生じる形状を得やすくなる。また、金属材料とした場合に比べて、着座音の音圧レベルを低くすることができるという利点もある。
【００３８】
さらに、本実施形態によれば、弁体６の弁座部材９と対向する部分や当接する部分（弁部７）も樹脂材料で構成したため、弁体と弁座部材とが対向する部分の形状を適宜に調整して、より一層好適な燃料流れを生じる形状を得やすくなるとともに、着座音の音圧レベルをより一層低くすることができる。
【００３９】
さらに、本実施形態によれば、弁座部材９に凹部９ｃを形成して、当該凹部９ｃ内に弁体６（弁部７）を挿入するようにしたため、相互に対向する凹部９ｃの内面と弁部７の外面との間の形状によって、弁座に向かう燃料の流れの方向をより容易に調整することができる。
【００４０】
また、本実施形態によれば、弁座部材９に軸方向（閉弁方向）と略直交する底壁部９ｄを設けるとともに、着座状態で底壁部９ｄの底内面９ｅと弁体６の底面６ｄとを面接触させるようにしたため、離座した状態で、底内面９ｅと底面６ｄとの間により確実に間隙を確保して噴射孔９ｆに向かう流れを比較的容易に形成することができる。
【００４１】
さらに、噴射孔９ｆによる噴射方向を、底内面９ｅまたは底面６ｄに対して略直角かあるいは鋭角的に設定したため、底内面９ｅと底面６ｄとの間における燃料の流れＦｂと、噴射孔９ｆにおける燃料の流れＦｃとの間で、流れの方向を略直角あるいは鋭角的に変化させることができるため、流れの壁面からの剥離や乱流を誘起して、噴射孔９ｆから噴出する流れが空気と攪拌されるのを促進させ、ひいては、燃料噴霧の微粒化を促進することができる。
【００４２】
さらに、本実施形態によれば、弁座部材９の凹部９ｃ内に弁体６（弁部７）を挿入した構成として、弁部７の外周と凹部９ｃの内周との間における燃料の流れＦａと、底内面９ｅと底面６ｄとの間における燃料の流れＦｂとの間で、流れの方向を略直角あるいは鋭角的に大きく変化させることができるため、この部分でも流れの壁面からの剥離や乱流を誘起して、噴射孔９ｆから噴出する流れが空気と攪拌されるのを促進させ、ひいては、燃料噴霧の微粒化を促進することができる。
【００４３】
また、本実施形態によれば、弁体６の底面６ｄを軸心側が僅かに窪むように傾斜する凹形状とする一方、弁座部材９の底内面９ｅを軸心側が僅かに突出するように傾斜する凸形状とし、さらに、底面６ｄと底内面９ｅとの隙間が軸心側に向かうほど大きくなるようにしたため、底面６ｄと底内面９ｅの周縁部同士を面接触させた環状の領域Ｓをシール領域とすることができ、着座によるシールを比較的簡素な構成で実現することができる。また、当該シール領域Ｓの内側に、加圧領域と隔離された領域を比較的広くとって、当該隔離された領域に臨む噴射孔９ｆのレイアウトの自由度を高めることができ、より好適な噴射特性を得やすくなるという利点もある。
【００４４】
また、本実施形態によれば、弁体６を収容する筒体３を備え、筒体３に弁座部材９を樹脂成形して一体化させたため、弁座部材９を設けた構造を、より容易に得ることができる。
【００４５】
また、本実施形態によれば、弁座部材９に弁座としての底内面９ｅを形成するとともに、噴射孔９ｆを設けたため、従来構造のように、噴射孔を形成したノズルプレートと弁座が形成された弁座部材とを別体として構成した場合に比べて部品点数を減らして、製造の手間を減らし、製造コストを低減することができる。
【００４６】
（第２実施形態）図４は、本実施形態にかかる燃料噴射弁の先端部を拡大して示す断面図であって、離座状態（開弁状態）を示す図、図５は、燃料噴射弁の先端部を拡大して示す断面図であって、着座状態（閉弁状態）を示す図である。なお、本実施形態にかかる燃料噴射弁は、上記実施形態にかかる燃料噴射弁と同様の構成を備える。よって、それら同様の構成については、同じ符号を付し、重複する説明を省略する。
【００４７】
本実施形態では、弁座部材９Ａの底内面９ｅに環状の突起９ｇを形成し、この突起によってシールを確保するものである。この環状の突起９ｇは、弁体６Ａ（弁部７Ａ）の底面６ｄの周縁部に対向して設けられており、着座した状態では、突起９ｇと底面６ｄの周縁部とが面接触した環状の領域Ｓがシール領域となる。
【００４８】
本実施形態によれば、突起９ｇによって、シール領域Ｓをより確実に確保できるようになる上、当該シール領域Ｓの面圧を適宜に設定しやすくなるという利点がある。また、突起９ｇを設けた分、開弁時における弁体６Ａの底面６ｄと弁座部材９Ａの底内面９ｅとの間隙における燃料の流れＦｂの乱れが大きくなるため、燃料噴霧の微粒化がより促進されるという利点がある。
【００４９】
（第３実施形態）図６は、本実施形態にかかる燃料噴射弁の先端部を拡大して示す断面図であって、離座状態（開弁状態）を示す図である。なお、本実施形態にかかる燃料噴射弁は、上記実施形態にかかる燃料噴射弁と同様の構成を備える。よって、それら同様の構成については、同じ符号を付し、重複する説明を省略する。
【００５０】
本実施形態では、弁座部材９Ｂのシール領域（突起９ｇ）より下流側（軸心側）の領域で、その表裏（内外）を貫通する貫通孔９ｈを設け、弁体６Ｂ（弁部７Ｂ）の底面６ｄと弁座部材９Ｂの底内面９ｅとの間の隙間の、貫通孔９ｈの開口部が臨む位置における燃料流れＦｂによって生じる圧力低下により、外部から当該貫通孔９ｈを介して当該燃料流れＦｂにエアを導入するようにしている。かかる構成によって生じる空気流れＡにより、当該隙間における燃料流れＦｂひいては噴射孔９ｆにおける燃料流れＦｃがより乱れた流れとなる上、燃料と空気との攪拌がより一層促進され、燃料の霧化をより一層促進させることができる。なお、貫通孔９ｈは、シール領域しょり下流側に開口しているため、閉弁状態において当該貫通孔９ｈを介して燃料がリークすることはない。
【００５１】
（第４実施形態）図７は、本実施形態にかかる燃料噴射弁の先端部を拡大して示す断面図であって、離座状態（開弁状態）を示す図である。なお、本実施形態にかかる燃料噴射弁は、上記実施形態にかかる燃料噴射弁と同様の構成を備える。よって、それら同様の構成については、同じ符号を付し、重複する説明を省略する。
【００５２】
本実施形態では、弁座部材９Ｃの周壁部を無くし、弁体６Ｃを、筒体３の内周によってガイドするようにしたものである。さらに、本実施形態では、弁体６Ｃを、上記樹脂材料に導電性フィラーをバインドして導電性を与えた導電性樹脂材料として構成し、当該弁体６Ｃから金属材料からなる外筒部８を省略している。そして、弁体６Ｃ（弁部７Ｃ）にコイルスプリング１２を収容する凹部６ａを形成するとともに、この凹部６ａ内の燃料収容室１０ａと中間部７ｂの外側の燃料収容室１０ｂとを連通する貫通孔６ｅを形成し、燃料が、燃料収容室１０ａ、貫通孔６ｅ、燃料収容室１０ｂ、下流側膨出部７ｃの外周、および弁体６Ｃの底面６ｄと弁座部材９Ｃの底内面９ｅとの間の間隙を経由して、噴射孔９ｆから噴射されるようにしている。かかる構成によれば、弁座部材９Ｃにおける樹脂材料の使用量を減らすことができる上、弁体６Ｃの部品点数を減らすとともにより小型化することができ、小型軽量化やコスト低減、省資源等に資することができる。また、上記実施形態に比べて燃料が存在する領域の容積を減らすことができる分、燃料の圧力変動（サージ圧）等を低減することができるという利点もある。
【００５３】
なお、本発明は、次のような別の実施形態に具現化することができる。以下の別の実施形態でも上記実施形態と同様の作用および効果を得ることができる。
【００５４】
（１）弁体と弁座部材との間でシール領域を形成する突起は、弁体および弁座部材のうち少なくともいずれか一方に設けるようにすればよいが、双方に設けてもよい。
【００５５】
（２）燃料の流れ方向を決定付ける突起や溝は、弁座部材および弁体のうち少なくともいずれか一方に設けるようにすればよいが、双方に設けてもよい。また、弁座部材の底内面のシール領域より内側の部分や弁体の底面のシール領域より内側の部分に突起や溝を設けてもよい。
【００５６】
（３）本発明は燃圧に応じたスペックで実現可能である。
【００５７】
また、上記実施形態から把握し得る請求項以外の技術思想について、以下にその効果と共に記載する。
【００５８】
（イ）請求項１〜３に記載の燃料噴射弁では、弁座部材が弁体に対向または当接する部分を樹脂材料で構成するのが好適である。
【００５９】
こうすれば、弁体に対向または当接する部分の形状を適宜に調整して、より一層好適な燃料流れを生じる形状を得やすくなるとともに、着座音の音圧レベルをより一層低くすることができる。
【００６０】
（ロ）請求項１〜３または上記（イ）に記載の燃料噴射弁では、弁座部材に凹部を形成して、当該凹部内に弁体を挿入するように構成するのが好適である。
【００６１】
こうすれば、相互に対向する凹部の内面と弁体の外面との間の形状によって、弁座に向けて流れる燃料の方向をより容易に調整することができる。また、かかる構成によれば、凹部に挿入された弁体の外周と当該凹部の内周との間における燃料の流れと、上面と底面との間における燃料の流れとの間で、流れの方向を略直角あるいは鋭角的に大きく変化させることができるため、流れの剥離や乱れを誘起して、噴射孔から噴出する流れが空気と攪拌されるのを促進させ、ひいては、燃料噴霧の微粒化を促進することができる。
【００６２】
（ハ）請求項１〜３または上記（イ）、（ロ）に記載の燃料噴射弁では、噴射孔の軸方向を、弁座部材の底内面または弁体の底面に対して略直角かあるいは鋭角的に設定するのが好適である。
【００６３】
こうすれば、上記底内面と底面との間における燃料の流れと、噴射孔における燃料の流れとの間で、流れの方向を略直角にあるいは鋭角的に大きく変化させることができるため、流れの剥離や乱れを誘起して、噴射孔から噴出する流れが空気と攪拌されるのを促進させ、ひいては、燃料噴霧の微粒化を促進することができる。
【００６４】
（ニ）請求項１〜３または上記（イ）〜（ハ）に記載の燃料噴射弁では、弁座部材の底内面と弁体の底面との隙間が軸心側に向かうほど大きくなるようにするのが好適である。
【００６５】
こうすれば、弁体の底面および弁座部材の上面の周縁部同士を面接触させた環状の領域をシール領域とすることができ、着座によるシールを比較的簡素な構成で実現することができる。また、当該シール領域の内側に、加圧領域と隔離された領域を比較的広くとって、当該隔離された領域の形状や、噴射孔のレイアウトの自由度を高めることができ、より好適な噴射特性が得やすくなるという利点もある。
【００６６】
（ホ）請求項１〜３または上記（イ）〜（ハ）に記載の燃料噴射弁では、弁座部材の上面および弁体の底面のうち少なくともいずれか一方に環状の突起を形成して、当該突起が他方と面接触した領域によってシールを確保するのが好適である。
【００６７】
こうすれば、突起によって、シール領域をより容易にかつより確実に確保できるようになる上、突起を設けた分、開弁時における弁体の底面と弁座部材の上面との間隙における燃料の流れの乱れが大きくなるため、燃料噴霧の霧化性能が向上するという利点がある。また、シール領域の内側に、加圧領域と隔離された領域を比較的広くとって、当該隔離された領域の形状や、噴射孔のレイアウトの自由度を高めることができ、より好適な噴射特性が得やすくなるという利点もある。
【００６８】
（ヘ）請求項１〜３または上記（イ）〜（ホ）に記載の燃料噴射弁では、弁座部材と弁体とのシール領域より下流側の領域で、弁座部材の表裏（内外）を貫通する貫通孔を設け、当該下流側の領域における燃料流れによって生じる圧力低下により、弁座部材より内側の領域に外側からエアを導入するのが好適である。
【００６９】
こうすれば、弁座部材に形成された貫通孔から導入される空気流れにより、当該隙間における燃料流れひいては噴射孔における燃料流れがより乱れた流れとなる上、燃料と導入された空気とが攪拌され、燃料の微粒化をより一層促進させることができる。
【００７０】
（ト）請求項１〜３または上記（イ）〜（ヘ）に記載の燃料噴射弁では、弁座部材に噴射孔を形成するのが好適である。
【００７１】
こうすれば、従来のように噴射孔が形成されたノズルプレートと弁座が形成された弁座部材とが別個に形成された場合に比べて、部品点数を減らして製造の手間を減らし、製造コストを削減することができる。
【図面の簡単な説明】
【００７２】
【図１】本発明の実施形態にかかる燃料噴射弁の断面図（軸方向に沿った断面の図）。
【図２】本発明の第１実施形態にかかる燃料噴射弁の先端部を拡大した断面図であって、離座状態（開弁状態）を示す図。
【図３】本発明の第１実施形態にかかる燃料噴射弁の先端部を拡大した断面図であって、着座状態（閉弁状態）を示す図。
【図４】本発明の第２実施形態にかかる燃料噴射弁の先端部を拡大した断面図であって、離座状態（開弁状態）を示す図。
【図５】本発明の第２実施形態にかかる燃料噴射弁の先端部を拡大した断面図であって、着座状態（閉弁状態）を示す図。
【図６】本発明の第３実施形態にかかる燃料噴射弁の先端部を拡大した断面図であって、離座状態（開弁状態）を示す図。
【図７】本発明の第４実施形態にかかる燃料噴射弁の先端部を拡大した断面図であって、離座状態（開弁状態）を示す図。
【符号の説明】
【００７３】
１，１Ａ，１Ｂ，１Ｃ  燃料噴射弁
３  筒体
６，６Ａ，６Ｂ，６Ｃ  弁体
６ｄ  底面
９，９Ａ，９Ｂ，９Ｃ  弁座部材
９ｄ  底壁部
９ｅ  上面（弁座）
１２  コイルスプリング（付勢手段）
１５  電磁コイル
【図１】
2006312883.tif 000003
【図２】
2006312883.tif 000004
【図３】
2006312883.tif 000005
【図４】
2006312883.tif 000006
【図５】
2006312883.tif 000007
【図６】
2006312883.tif 000008
【図７】
2006312883.tif 000009